(57)【要約】  ターゲットセル抽出部１１１は、無線通信端末３のハンドオーバ先のセルを抽出する。ターゲットセル通知部１１２は、ハンドオーバ先のセルの情報を含む無線通信端末３のハンドオーバを行うための情報である第１のＨＯ準備情報をハンドオーバ先のセルを収容するｅＮＢ１０２に通知する。次候補セル通知部１１３は、ｅＮＢ１０２から、ハンドオーバ先のセル以外のハンドオーバ先の候補となる次候補セルの情報を受信し、次候補セルの情報を含む第２のＨＯ準備情報を、ｅＮＢ１０３に通知する。次候補セル抽出部１２２は、受信した第１のＨＯ準備情報からハンドオーバ先のセルの情報を取得し、無線通信におけるハンドオーバ先のセルと他のセルとの間の状態を基に次候補セルを抽出する。次候補セル通知部１２３は、次候補セルの情報をｅＮＢ１０１に通知する。
2012086018.tif 000002
【特許請求の範囲】
【請求項１】
複数の無線基地局を有する無線通信システムであって、
無線通信端末と接続している第１の無線基地局は、
前記無線通信端末のハンドオーバ先のセルを抽出するターゲットセル抽出部と、
前記ハンドオーバ先のセルの情報を含む前記無線通信端末のハンドオーバを行うための情報である第１のＨＯ準備情報を前記ハンドオーバ先のセルを収容する第２の無線基地局に通知するターゲットセル通知部と、
前記第２の無線基地局から、前記ハンドオーバ先のセル以外のハンドオーバ先の候補となる次候補セルの情報を受信し、該次候補セルの情報を含む第２のＨＯ準備情報を、該次候補セルを収容する無線基地局に通知する次候補セル通知部とを備え
前記第２の無線基地局は、
受信した前記第１のＨＯ準備情報から前記ハンドオーバ先のセルの情報を取得し、無線通信における前記ハンドオーバ先のセルと他のセルとの間の状態を基に次候補セルを抽出する次候補セル抽出部と、
前記次候補セルを前記第１の無線基地局に通知する次候補セル通知部と
を備えたことを特徴とする無線通信システム。
【請求項２】
前記第１の無線基地局は、
前記次候補セルが自装置とコネクションを有するか否かを判定するコネクション有無判定部をさらに備え、
前記次候補セル通知部は、前記次候補セルとのコネクションが無い場合、前記第２の無線基地局に対して前記次候補セルを収容する第３の無線基地局への前記第２のＨＯ準備情報の転送を要求し、
前記第２の無線基地局は、
前記第２のＨＯ準備情報とともに、該第２のＨＯ準備情報の転送の要求を受けて、前記第３の無線基地局に対して該第２のＨＯ準備情報を送信するＨＯ情報転送部をさらに備えた
ことを特徴とする請求項１に記載の無線通信システム。
【請求項３】
前記次候補セル抽出部は、ハンドオーバ先のセルで無線リンク障害が所定の発生率以上の場合に、ハンドオーバ先のセルから再接続を受けた回数が所定回数以上のセルを次候補セルとして抽出することを特徴とする請求項１又は請求項２に記載の無線通信システム。
【請求項４】
前記次候補セル抽出部は、前記ハンドオーバ先のセルにおいて他のセルが影響を受ける無線パラメータの調整を行っている場合に、ハンドオーバ先のセルからハンドオーバを受けた回数が所定回数以上のセルを次候補セルとして抽出することを特徴とする請求項１又は請求項２に記載の無線通信システム。
【請求項５】
前記次候補セル抽出部は、前記無線パラメータが他のセルが影響を受ける無線パラメータであることに加えて前記第２の無線基地局の隣接セルに固有なパラメータである場合に、次候補セルを抽出することを特徴とする請求項４に記載の無線通信システム。
【請求項６】
無線通信端末のハンドオーバ先のセルを抽出するターゲットセル抽出部と、
前記ハンドオーバ先のセルの情報を含む前記無線通信端末のハンドオーバを行うための情報である第１のＨＯ準備情報を前記ハンドオーバ先のセルを収容する他の無線基地局に通知するターゲットセル通知部と、
前記他の無線基地局から、前記ハンドオーバ先のセル以外のハンドオーバ先の候補となる次候補セルの情報を受信し、該次候補セルの情報を含む第２のＨＯ準備情報を、該次候補セルを収容する無線基地局に通知する次候補セル通知部と
を備えたことを特徴とする無線基地局。
【請求項７】
複数の無線基地局を制御する無線通信方法であって、
無線通信端末と接続している第１の無線基地局に、前記無線通信端末のハンドオーバ先のセルを抽出させ、
前記第１の無線基地局に、前記ハンドオーバ先のセルの情報を含む前記無線通信端末のハンドオーバを行うための情報である第１のＨＯ準備情報を前記ハンドオーバ先のセルを収容する第２の無線基地局へ通知させ、
前記第２の無線基地局に、前記第１のＨＯ準備情報から前記ハンドオーバ先のセルの情報を取得させ、
前記第２の無線基地局に、無線通信における前記ハンドオーバ先のセルと他のセルとの間の状態を基に、前記ハンドオーバ先のセル以外のハンドオーバ先の候補となる次候補セルを抽出させ、
前記第１の無線基地局に、前記第２の無線基地局から送信された前記次候補セルの情報を受信させ、
前記第１の無線基地局に、前記次候補セルの情報を含む第２のＨＯ準備情報を、該次候補セルを収容する無線基地局に通知させる
ことを特徴とする無線通信方法。
【請求項８】
接続している無線通信端末のハンドオーバ先のセルを抽出するターゲットセル抽出部と、前記ハンドオーバ先のセルの情報を含む前記無線通信端末のハンドオーバを行うための情報である第１のＨＯ準備情報を前記ハンドオーバ先のセルを収容する第２の無線基地局に通知するターゲットセル通知部と、前記第２の無線基地局から、前記ハンドオーバ先のセル以外のハンドオーバ先の候補となる次候補セルの情報を受信し、該次候補セルの情報を含む第２のＨＯ準備情報を、該次候補セルを収容する無線基地局に通知する次候補セル通知部とを備える第１の無線基地局と無線通信により接続する接続部と、
前記第２の無線基地局が、前記第１のＨＯ準備情報において指定されている前記ハンドオーバ先のセルと他のセルとの間の状態を基に抽出し、且つ前記第１の無線基地局に通知した次候補セルに対してハンドオーバを行うハンドオーバ制御部と、
を備えたことを特徴とする無線通信端末。
【発明の詳細な説明】
【技術分野】
【０００１】
本発明は、無線通信システム、無線通信方法、無線基地局及び無線通信端末に関する。
【背景技術】
【０００２】
第３世代移動体通信システムの標準化団体３ＧＰＰ(3rd  Generation  Partnership  Project)では、次世代移動通信システムの無線アクセスネットワークが検討されている。この無線アクセス網は、Ｅ‐ＵＴＲＡＮ  (Evolved  Universal  Terrestrial  Radio  Access  Network)、あるいは、ＬＴＥ（Long  Term  Evolution)と呼ばれている。【０００３】
ＬＴＥでは、無線通信端末と接続先の無線基地局であるＳｅｒｖｉｎｇ  ｅＮＢ（evolved  Node  B）との間で無線リンク障害（ＲＬＦ:Radio  Link  Failure）が発生した場合の再接続手順が定められている。この定められた再接続手順に従うことで、無線アクセス網との通信状態の初期化及び初期アクセス時の接続手順を再度実行する必要が無くなり、ＲＬＦ発生時に無線通信端末が利用しているサービスの中断時間を短縮することができる。【０００４】
無線アクセス網は、無線品質の維持が難しいセルエッジに無線通信端末が移動した場合でも、無線通信端末の操作者にその移動を意識させずに所定の品質のサービスの提供を継続するため、ハンドオーバを実行する。具体的には、無線通信端末は、計測した無線品質を含むＭｅａｓｕｒｅｍｅｎｔ  ＲｅｐｏｒｔをｅＮＢに通知する。そして、ｅＮＢが、受信した無線品質に基づいてＭｅａｓｕｒｅｍｅｎｔ  Ｒｅｐｏｒｔを送信してきた無線通信端末においてハンドオーバを実行するか否かを決定する。そして、ハンドオーバを行うにあたり、無線通信端末と接続しているＳｅｒｖｉｎｇ  ｅＮＢは、ＨＯ  Ｐｒｅｐａｒａｔｉｏｎ手順を行い、ハンドオーバ対象のセル、及び、運用条件に従い場合によっては再接続の可能性があるセルにハンドオーバに関する情報を予め配布し、設定しておく。このハンドオーバに関する情報とは、ハンドオーバ先（あるいは、再接続先）のセルを有するｅＮＢにおいてハンドオーバによる接続、並びに、再接続の受付に必要な情報であるＵＥコンテキストであり、このＵＥコンテキストを取得していなければ再接続を受け付けることができない。
【先行技術文献】
【非特許文献】
【０００５】
【非特許文献１】3GPP  TS  36.300  V10.0.0(2010-06),  “E-UTRA  and  E-UTRAN;  Overall  description;  Stage  2”,  Sec10.1.6
【非特許文献２】3GPP  TS  36.331  V9.0.0(2009-09),  “E-UTRA  RRC;  Protocol  specification”,  Sec5.3.7
【非特許文献３】3GPP  TS  23.401  V9.5.0(2010-06),  “GPRS  enhancements  for  E-UTRAN  access”,  Sec5.3.4
【発明の概要】
【発明が解決しようとする課題】
【０００６】
しかし、実際の通信では通信状態の変化などにより、ハンドオーバ過程やその後に無線リンク障害（ＲＬＦ）が発生した場合、ハンドオーバ先のセルとしてハンドオーバに関する情報を設定したセルとは異なるセルに再接続が試みられる場合がある。そのような場合、従来の技術では、実際の再接続の対象となっているセルには再接続の受付に必要な情報が設定されておらず再接続が失敗してしまうおそれがあった。【０００７】
開示の技術は、上記に鑑みてなされたものであって、ハンドオーバ時における処理の負荷を低減させつつ、ハンドオーバ過程やその後の無線リンク障害によって起きた再接続の成功率を向上させる無線通信システムを提供することを目的とする。
【課題を解決するための手段】
【０００８】
本願の開示する無線通信システム、無線通信方法、無線基地局及び無線通信端末は、一つの態様において、無線通信端末と接続している第１の無線基地局は、前記無線通信端末のハンドオーバ先のセルを抽出するターゲットセル抽出部と、前記ハンドオーバ先のセルの情報を含む前記無線通信端末のハンドオーバを行うための情報である第１のＨＯ準備情報を前記ハンドオーバ先のセルを収容する第２の無線基地局に通知するターゲットセル通知部と、前記第２の無線基地局から、前記ハンドオーバ先のセル以外のハンドオーバ先の候補となる次候補セルの情報を受信し、該次候補セルの情報を含む第２のＨＯ準備情報を、該次候補セルを収容する無線基地局に通知する次候補セル通知部とを備える。また、前記第２の無線基地局は、受信した前記第１のＨＯ準備情報から前記ハンドオーバ先のセルの情報を取得し、無線通信における前記ハンドオーバ先のセルと他のセルとの間の状態を基に次候補セルを抽出する次候補セル抽出部と、前記次候補セルを前記第１の無線基地局に通知する次候補セル通知部とを備える。
【発明の効果】
【０００９】
本願の開示する無線通信システム、無線通信方法、無線基地局及び無線通信端末の一つの態様によれば、ハンドオーバ時における処理の負荷を低減させつつ、ハンドオーバによる再接続の成功率を向上させるという効果を奏する。
【図面の簡単な説明】
【００１０】
【図１】図１は、無線通信システムの全体構成の一例の図である。
【図２】図２は、実施例１に係る無線基地局のブロック図である。
【図３】図３は、ＨＯ  Ｒｅｑｕｅｓｔ  Ａｃｋｎｏｗｌｅｄｇｅのフォーマットの一例の図である。
【図４】図４は、ｅＮＢの全体構成を示すブロック図である。
【図５】図５は、実施例１に係る無線通信システムにおけるＨＯ  Ｐｒｅｐａｒａｔｉｏｎの処理のシーケンス図である。
【図６】図６は、次候補セルの選択及び次候補セルへのＨＯ  Ｒｅｑｕｅｓｔの送信の処理のフローチャートである。
【図７】図７は、実施例１におけるＨＯ  Ｒｅｑｕｅｓｔの送信の処理の概要を説明するための図である。
【図８】図８は、実施例２に係る無線基地局のブロック図である。
【図９】図９は、次候補セルを収容する無線基地局への転送要求を行うためのＨＯ  Ｒｅｑｕｅｓｔのフォーマットの一例の図である。
【図１０】図１０は、実施例２に係る無線通信システムにおけるＨＯ  Ｐｒｅｐａｒａｔｉｏｎの処理のシーケンス図である。
【図１１】図１１は、次候補セルの選択及び次候補セルへのＨＯ  Ｒｅｑｕｅｓｔの送信の処理のフローチャートである。
【図１２】図１２は、実施例２におけるＨＯ  Ｒｅｑｕｅｓｔの送信の処理の概要を説明するための図である。
【図１３】図１３は、実施例３に係る無線通信システムにおける次候補セルの抽出処理のフローチャートである。
【図１４】図１４は、実施例４に係る無線通信システムにおける次候補セルの抽出処理のフローチャートである。
【発明を実施するための形態】
【００１１】
以下に、本願の開示する無線通信システム、無線通信方法、無線基地局及び無線通信端末の実施例を図面に基づいて詳細に説明する。なお、以下の実施例により本願の開示する無線通信システム、無線通信方法、無線基地局及び無線通信端末が限定されるものではない。
【実施例１】
【００１２】
図１は、実施例１に係る無線通信システムの全体構成の一例の図である。本実施例に係る無線通信システムは、図１に示すように複数のｅＮＢ（無線基地局）１０１〜１０４を有する。ここで、図１では、ｅＮＢ１０１〜１０４という４台の無線基地局を図示しているが、実際には複数であれば数に制限はない。さらに、本実施例に係る無線通信システムは、ＭＭＥ（Mobility  Management  Entity）／ＧＷ（Gateway）２、無線通信端末３を有する。【００１３】
ＭＭＥ／ＧＷ２は、ＮＡＳ秘匿機能、呼び出し制御、ハンドオーバパス制御を行う。ｅＮＢ１０１〜１０４は、ＭＭＥ／ＧＷ２を含むコアネットワーク網を介して互いに通信する。また、ｅＮＢ１０１とｅＮＢ１０２、ｅＮＢ１０１とｅＮＢ１０３、ｅＮＢ１０２とｅＮＢ１０３、及びｅＮＢ１０２とｅＮＢ１０４は、後述の隣接関係にあり、ＭＭＥ／ＧＷ２を介さず、制御情報を交換する。【００１４】
ｅＮＢ１０１〜１０４は、それぞれ複数のセルを収容している。ここで、セルを収容するとは、そのセルを無線基地局が管理しており、そのセルを用いてそのセルを収容する無線基地局と接続が行えることを指す。図１では説明の都合上、１つのセルしか記載していないが、実際にはｅＮＢ１０１〜１０４の各々が複数のセルを収容している。【００１５】
無線通信端末３は、無線通信によってｅＮＢ１０１〜１０４のいずれかが収容するセルの１つを利用してそのセルを収容するｅＮＢ１０１〜１０４のいずれかと接続する。そして、無線通信端末３は、コアネットワーク網を介して他の無線通信端末（不図示）などと通信を行う。図１では、無線通信端末３がｅＮＢ１０１と接続している状態及び無線リンク障害（ＲＬＦ）が発生した状態を表している。【００１６】
そして、無線通信端末３は、現在接続している無線通信にＲＬＦが発生した場合、後に詳細に説明する再接続を実行することで、他のセルを用いてｅＮＢ１０１〜１０４のいずれかに再接続し通信を継続する。以下の説明では、ｅＮＢ１０１を用いてｅＮＢ１０１と接続していた無線通信端末３でＲＬＦが発生し、ｅＮＢ１０１が、ハンドオーバ先のセルとしてｅＮＢ１０２配下のセルを抽出した場合について説明する。ここで、「ハンドオーバ先のセルとして抽出する」とは、未だ実際にそのセルに対してハンドオーバを行わないが、ハンドオーバの準備としてＵＥコンテキストを送信する対象として、そのセルを抽出したことを指す。また、以下では、ｅＮＢ１０１が抽出したハンドオーバ先のセルを「ターゲットセル」と言う。【００１７】
図２は、実施例１に係る各無線基地局のブロック図である。図２では、ｅＮＢ１０１〜１０４のぞれぞれで、以下の説明で必要な機能のみを記載している。だだし、実際には、ｅＮＢ１０１〜１０４のいずれも同じの構成を有している。【００１８】
図２に示すように、ｅＮＢ１０１は、ターゲットセル抽出部１１１、ターゲットセル通知部１１２、次候補セル通知部１１３及びセル情報管理部１１４を有している。【００１９】
ターゲットセル抽出部１１１は、ハンドオーバの可否を判定するための通信品質の閾値及びターゲットセルを抽出するための通信品質の閾値を予め記憶している。【００２０】
ターゲットセル抽出部１１１は、無線通信端末３が計測した現在行っている通信の無線品質を含むＭｅａｓｕｒｅｍｅｎｔＲｅｐｏｒｔを無線通信端末３から受信する。例えば、無線通信端末３は、ハンドオーバの要否を決定するための通信品質の閾値を予め記憶しておき、通信品質が低下し閾値を下回った場合に、ＭｅａｓｕｒｅｍｅｎｔＲｅｐｏｒｔをｅＮＢ１０１に送信する。そして、ターゲットセル抽出部１１１は、ハンドオーバが可能か否かを判定する。具体的には、ターゲットセル抽出部１１１は、他のセルの中に、そのセルを用いた場合の通信品質が予め決められた閾値を超えているものがあればハンドオーバ可能と判定する。そして、ハンドオーバ可能の場合には、ターゲットセル抽出部１１１は、ターゲットを抽出する。具体的には、ターゲットセル抽出部１１１は、他のセルの中で通信品質が記憶しているターゲットセル抽出のための閾値値以上となっているセルをターゲットセルとして抽出する。【００２１】
ターゲットセル抽出部１１１は、ターゲットセルの情報をターゲットセル通知部１１２へ出力する。【００２２】
セル情報管理部１１４は、自装置の収容セル及びそれらのセルと他基地局収容セルとの隣接関係を表すセル情報テーブルを記憶している。ここで、隣接関係とは、無線基地局がそのセルとの制御用のコネクションを有しているか否かを指す。以下では、無線基地局が制御用のコネクションを有しているセルを「隣接セル」という場合がある。セル情報テーブルには、各セルの識別情報や各セルを収容している無線基地局の情報などが含まれている。そして、セル情報管理部１１４は、各無線通信端末やコア網からの制御シグナリングで取得した情報を用いて、記憶しているセル情報テーブルを更新し管理する。ここで、セル情報管理部１１４のセル情報テーブルの更新方法は他の方法でも良く、例えば、無線アクセス網管理システムから収容セルと他基地局収容セルとの隣接関係の入力を受け、受信した情報を基にセル情報テーブルを更新しても良い。【００２３】
ターゲットセル通知部１１２は、ターゲットセルの情報の入力をターゲットセル抽出部１１１から受ける。そして、ターゲットセル通知部１１２は、セル情報管理部１１４が管理しているセル情報テーブルを参照し、ターゲットセルを収容する無線基地局を特定する。本実施例では、ターゲットセル通知部１１２は、ターゲットセルを収容する無線基地局をｅＮＢ１０２と特定する。【００２４】
ターゲットセル通知部１１２は、ハンドオーバ及び再接続の受付に必要な情報であるＵＥコンテキスト及びターゲットセルの識別情報を含むＨＯ  ＲｅｑｕｅｓｔをｅＮＢ１０２に送信する。このＨＯ  Ｒｅｑｕｅｓｔは、「第１のＨＯ準備情報」の一例にあたる。【００２５】
次候補セル通知部１１３は、後述するｅＮＢ１０２の次候補セル通知部１２３から次候補セルの情報を含むＨＯ  Ｒｅｑｕｅｓｔ  Ａｃｋｎｏｗｌｅｄｇｅの通知を受ける。そして、次候補セル通知部１１３は、セル情報管理部１１４が管理しているセル情報テーブルを参照し、次候補セルを収容する無線基地局を特定する。本実施例では、次候補セル通知部１１３は、次候補セルを収容する無線基地局をｅＮＢ１０３と特定する。【００２６】
次候補セル通知部１１３は、ＵＥコンテキスト及びターゲットセルの識別情報を含むＨＯ  ＲｅｑｕｅｓｔをｅＮＢ１０３へ送信する。このＨＯ  Ｒｅｑｕｅｓｔが、「第２のＨＯ準備情報」の一例にあたる。ここで、本実施例では、次候補セル通知部１１３は、次候補セルが自装置との間に制御用のコネクションがない（隣接セルでない）場合には、次候補セルが把握できないので、その次候補セルをハンドオーバの準備実施の対象のセルに加える処理は行わない。また、ここでは、ｅＮＢ１０３が次候補セルを収容する基地局としたが、次候補セルを抽出したｅＮＢ１０２自体が次候補セルを収容する基地局であっても良い。その場合、次候補セル通知部１１３は、ＵＥコンテキスト及びターゲットセルの識別情報を含むＨＯ  ＲｅｑｕｅｓｔをｅＮＢ１０２へ送信する。【００２７】
次に、ｅＮＢ１０２について説明する。ｅＮＢ１０２は、ハンドオーバ情報取得部１２１、次候補セル抽出部１２２、次候補セル通知部１２３及びセル情報管理部１２４を有している。【００２８】
ハンドオーバ情報取得部１２１は、ＵＥコンテキスト及びターゲットセルの識別情報を含むＨＯ  ＲｅｑｕｅｓｔをｅＮＢ１０１のターゲットセル通知部１１２から受信する。ハンドオーバ情報取得部１２１は、ＨＯ  Ｒｅｑｕｅｓｔにより指定されたターゲットセルに対して、ＵＥコンテキストを用いてハンドオーバの準備の設定を行う。【００２９】
そして、ハンドオーバ情報取得部１２１は、ターゲットセルの識別情報を次候補セル抽出部１２２へ出力する。【００３０】
セル情報管理部１２４は、自装置の収容セル及びそれらのセルと他基地局収容セルとの隣接関係を表すセル情報テーブルを記憶している。セル情報テーブルには、各セルの識別情報や各セルを収容している無線基地局の情報などが含まれている。そして、セル情報管理部１２４は、各無線通信端末やコア網からの制御シグナリングで取得した情報を用いて、記憶しているセル情報テーブルを更新し管理する。ここで、セル情報管理部１２４のセル情報テーブルの更新方法は他の方法でも良く、例えば、無線アクセス網管理システムから収容セルと他基地局収容セルとの隣接関係の入力を受け、受信した情報を基にセル情報テーブルを更新しても良い。【００３１】
次候補セル抽出部１２２は、ＲＬＦ発生率の閾値として所定値を予め記憶している。また、次候補セル抽出部１２２は、再接続発生の回数の上限値として所定数を記憶している。さらに、次候補セル抽出部１２２は、次候補セルとして選択する個数の上限値として所定個を記憶している。【００３２】
次候補セル抽出部１２２は、ｅＮＢ１０１から指定されたターゲットセルの識別情報の入力をハンドオーバ情報取得部１２１から受ける。そして、次候補セル抽出部１２２は、ターゲットセルにおけるＲＬＦの発生率が記憶している所定値以上であるか否かを判定する。そして、所定値以上である場合には、次候補セル抽出部１２２は、セル情報管理部１２４が記憶するセル情報テーブルを参照し、ターゲットセルの隣接セルを取得する。そして、次候補セル抽出部１２２は、ターゲットセルから再接続を受けた隣接セルの中で、再接続の発生回数が記憶している所定数以上の隣接セルを抽出する。【００３３】
そして、次候補セル抽出部１２２は、抽出したセルの中から再接続の発生回数の多い順に所定個のセルを次候補セルとして抽出する。ただし、再接続の発生回数が所定数以上の隣接セルの個数が所定個よりも少ない場合には、次候補セル抽出部１２２は、全てのセルを次候補セルとして抽出する。ここで、本実施例ではハンドオーバ時の処理の負荷を軽減するため次候補セルの個数の上限値を設けている。ただし、無線基地局の処理能力が十分に高いなど処理の負荷をある程度許容できるのであれば、再接続発生の回数が所定回数以上の隣接セル全てを次候補セルとしても良い。【００３４】
次候補セル抽出部１２２は、抽出した次候補セルの情報を次候補セル通知部１２３へ出力する。【００３５】
次候補セル通知部１２３は、次候補セル抽出部１２２から入力された次候補セルの情報をｅＮＢ１０１の次候補セル通知部１１３へ通知する。具体的には、次候補セル通知部１２３は、ＨＯ  Ｒｅｑｕｅｓｔの受信の確認応答であるＨＯ  Ｒｅｑｕｅｓｔ  Ａｃｋｎｏｗｌｅｄｇｅを用いて次候補セルの情報をｅＮＢ１０１の次候補セル通知部１１３へ通知する。【００３６】
図３は、ＨＯ  Ｒｅｑｕｅｓｔ  Ａｃｋｎｏｗｌｅｄｇｅのフォーマットの一例の図である。図３に示すように、本実施例のＨＯ  Ｒｅｑｕｅｓｔ  Ａｃｋｎｏｗｌｅｄｇｅのフォーマット２００は、従来のフォーマットにＴａｒｇｅｔ  Ｃｅｌｌ  ＩＤ  ｌｉｓｔ２０１の項目が追加されている。次候補セル通知部１２３は、このＴａｒｇｅｔ  Ｃｅｌｌ  ＩＤ  ｌｉｓｔ２０１に、次候補セルの情報を記載する。そして、次候補セル通知部１２３は、次候補セルの情報を記載したＨＯ  Ｒｅｑｕｅｓｔ  ＡｃｋｎｏｗｌｅｄｇｅをｅＮＢ１０１に送信することで、次候補セル通知部１１３に次候補セルの情報を通知する。【００３７】
次に、ｅＮＢ１０３について説明する。ｅＮＢ１０３は、ハンドオーバ情報取得部１３１を有している。【００３８】
ハンドオーバ情報取得部１３１は、次候補セルの情報及びＵＥコンテキストを含むＨＯＲｅｑｕｅｓｔを次候補セル通知部１２３から受信する。そして、ハンドオーバ情報取得部１３１は、ＵＥコンテキストを用いて次候補セルに対してハンドオーバの準備の設定を行う。【００３９】
図４は、ｅＮＢの全体構成を示すブロック図である。上述した図２は、説明に必要な機能のみを図４から取り出して表している。そこで、以下では、図４を参照して、ｅＮＢ１０１〜１０４における全体的な各部の説明及び図２の各部との対応の説明を行う。【００４０】
無線ネットワークインタフェース１１及び有線ネットワークインタフェース１２は、ネットワークインタフェースに固有のＬ１／Ｌ２プロトコルを終端し、他のｅＮＢとの間のデータの授受及び通信データ処理部１３との間でデータの授受を行う。【００４１】
無線ネットワークインタフェース１１は、無線通信端末３との間でデータの送受信を行う。【００４２】
有線ネットワークインタフェース１２は、他ｅＮＢやＭＭＧ／ＧＷ２などのコア網側の機器との間でデータの送受信を行う。【００４３】
通信データ処理部１３は、通信路（ベアラ）の設定に基づき、データのルーティング及びデータの転送用プロトコルに関する処理を行う。また、通信データの入力を受けた場合には、通信データ処理部１３は、無線ネットワークインタフェース１１や有線ネットワークインタフェース１２を介して、他の装置へ通信データを送信する。さらに、通信データ処理部１３は、実際の通信データを受信した場合、その通信データの出力を行う。【００４４】
また、通信データ処理部１３は、無線アクセス手順メッセージなどの自装置宛のシグナリング情報などを認識し、そのシグナリング情報を処理する各部との間でデータの授受を行う。具体的には、通信データ処理部１３は、無線通信端末３から受信したＭｅａｓｕｒｅｍｅｎｔ  Ｒｅｐｏｒｔをハンドオーバ制御部１７へ送信する。また、通信データ処理部１３は、受信したコア網側の制御シグナリングをコア網サービス制御部へ出力する。より具体的には、他のｅＮＢからＨＯ  Ｒｅｑｕｅｓｔを受信すると、通信データ処理部１３は、受信したＨＯ  Ｒｅｑｕｅｓｔをコア網サービス制御部１５へ送信する。また、通信データ処理部１３は、他のｅＮＢから受信したＨＯ  Ｒｅｑｕｅｓｔ  Ａｃｋｎｏｗｌｅｄｇｅを、コア網サービス制御部１５へ送信する。また、通信データ処理部１３は、コア網サービス制御部１５から受信したハンドオーバの準備の設定の要求及びセキュリティ管理部１６から受信した認証Ｔｏｋｅｎを、コア網サービス制御部１５から指定されたｅＮＢへ送信する。【００４５】
無線アクセスサービス制御部１４は、無線通信端末との間の制御シグナリングを終端し、無線区間の通信路の設定及び開放などの制御を行う。【００４６】
コア網サービス制御部１５は、コア網側との制御シグナリングを終端し、無線区間以外の通信路の設定及び開放などの制御を行う。また、コア網サービス制御部１５は、通信データ処理部１３から受信したＨＯ  ＲｅｑｕｅｓｔをＨＯ  Ｐｒｅｐａｒａｔｉｏｎ管理部１８へ送信する。また、コア網サービス制御部１５は、通信データ処理部１３から受信したＨＯ  Ｒｅｑｕｅｓｔ  Ａｃｋｎｏｗｌｅｄｇｅをセキュリティ管理部１６及びＨＯ  Ｐｒｅｐａｒａｔｉｏｎ管理部１８へ送信する。また、コア網サービス制御部１５は、コア網側の制御シグナリングに含まれるセキュリティキー情報をセキュリティ管理部１６へ送信する。さらに、コア網サービス制御部１５は、ＨＯ  Ｐｒｅｐａｒａｔｉｏｎ管理部１８からターゲットセル及び次候補セルの通知を受ける。そして、コア網サービス制御部１５は、各セルの情報をセル情報管理部１９から取得する。そして、コア網サービス制御部１５は、各セルに対するＵＥコンテキストを用いたハンドオーバの準備の設定の要求であるＨＯ  Ｒｅｑｕｅｓｔを、各セルを収容するｅＮＢに対して送信する。さらに、コア網サービス制御部１５は、他のｅＮＢからハンドオーバの準備の設定の要求及び認証Ｔｏｋｅｎを受信すると、指定されたセルに対して認証Ｔｏｋｅｎを用いてハンドオーバの準備の設定を行う。【００４７】
また、コア網サービス制御部１５は、ＨＯ  Ｐｒｅｐａｒａｔｉｏｎ管理部１８から次候補セルの情報を受信すると、ターゲットセルを通知してきたｅＮＢに対して次候補セルの情報を送信する。【００４８】
セキュリティ管理部１６は、コア網側の制御シグナリングに含まれるセキュリティキー情報を管理する。そして、セキュリティ管理部１６は、管理しているセキュリティキー情報を用いて各通信路に用いるキー情報の生成を行う。そして、セキュリティ管理部１６は、生成した通信用キー情報を通信データ処理部１３へ送信する。【００４９】
また、セキュリティ管理部１６は、ＨＯ  Ｐｒｅｐａｒａｔｉｏｎ手順でターゲットセル又は次候補セルを収容する無線基地局に渡す再接続メッセージの認証Ｔｏｋｅｎ（Ｓｈｏｒｔ−ＭＡＣ−Ｉ）をセル毎に通信用キー情報を用いて生成する。認証Ｔｏｋｅｎには、ハンドオーバ元となる自装置のセルの情報及びハンドオーバ先となる他のｅＮＢのセルの情報が含まれる。ここで、この通信用キー情報は、自装置のみで適用し、ハンドオーバの対象のセルを収容するｅＮＢにも渡さない情報である。すなわち、認証Ｔｏｋｅｎは、自装置のセキュリティ管理部１６でしか生成できない。そのため、例えば、ｅＮＢ１０１のハンドオーバの対象のセルとして次候補セルをｅＮＢ１０２が抽出した場合でも、ｅＮＢ１０２ではなく、ｅＮＢ１０１で次候補セルに渡す認証Ｔｏｋｅｎを生成することになる。【００５０】
また、セキュリティ管理部１６は、ハンドオーバ時に他のｅＮＢに渡すキー情報の生成を行う。そして、セキュリティ管理部１６は、生成したキー情報を通信データ処理部１３へ送信する。【００５１】
通信データ処理部１３、コア網サービス制御部１５及びセキュリティ管理部１６が、図２のターゲットセル通知部１１２、次候補セル通知部１１３、次候補セル通知部１２３、ハンドオーバ情報取得部１２１及びハンドオーバ情報取得部１３１の機能を有している。【００５２】
セル情報管理部１９は、自装置の収容セル及びそれらのセルと他基地局収容セルとの間の制御用のコネクションの有無を表す隣接関係を保持管理する。このセル情報管理部１９が、図２のセル情報管理部１１４及びセル情報管理部１２４の機能を有する。【００５３】
ハンドオーバ制御部１７は、無線通信端末３に設定するＭｅａｓｕｒｅｍｅｎｔ  Ｒｅｐｏｒｔ発信条件を管理する。この発信条件には、その値を下回った場合にＭｅｓｕｒｅｍｅｎｔ  Ｒｅｐｏｒｔを発信するための通信品質の閾値などが含まれる。また、ハンドオーバ制御部１７は、無線通信端末３から受信したＭｅａｓｕｒｅｍｅｎｔ  Ｒｅｐｏｒｔの内容を基に、ハンドオーバの可否を判定する。そして、ハンドオーバが可能と判定すると、ターゲットセルの抽出の命令をＨＯ  Ｐｒｅｐａｒａｔｉｏｎ管理部１８へ通知する。このハンドオーバ制御部１７が、ターゲットセル抽出部１１１の一部の機能を有する。【００５４】
ＨＯ  Ｐｒｅｐａｒａｔｉｏｎ管理部１８は、ハンドオーバ制御部１７から受信したＭｅａｓｕｒｅｍｅｎｔ  Ｒｅｐｏｒｔ及びセル情報管理部１９が保持する隣接関係を用いて、所定の通信品質以上のセルをターゲットセルとして抽出する。そして、ＨＯ  Ｐｒｅｐａｒａｔｉｏｎ管理部１８は、ターゲットセルに対するハンドオーバの準備の設定の要求をコア網サービス制御部１５へ送信する。また、ＨＯ  Ｐｒｅｐａｒａｔｉｏｎ管理部１８は、コア網サービス制御部１５から次候補セルの情報を受信する。そして、ＨＯ  Ｐｒｅｐａｒａｔｉｏｎ管理部１８は、次候補セルの隣接関係を確認する。そして、次候補セルが隣接セルであれば、ＨＯ  Ｐｒｅｐａｒａｔｉｏｎ管理部１８は、次候補セルに対するハンドオーバの準備の設定の要求をコア網サービス制御部１５へ送信する。【００５５】
また、ＨＯ  Ｐｒｅｐａｒａｔｉｏｎ管理部１８は、他のｅＮＢが送信してきたターゲットセルの情報の入力を受ける。そして、ＨＯ  Ｐｒｅｐａｒａｔｉｏｎ管理部１８は、受信したターゲットセルにおけるＲＬＦ発生率が所定値以上であるか否かを判定する。そして、所定値以上である場合には、ＨＯ  Ｐｒｅｐａｒａｔｉｏｎ管理部１８は、セル情報管理部１９が保持する隣接関係からターゲットセルの隣接セルを取得する。そして、ＨＯ  Ｐｒｅｐａｒａｔｉｏｎ管理部１８は、ターゲットセルから再接続を受けた隣接セルの中で、再接続発生の回数が所定回数以上の隣接セルを次候補セルとして抽出する。そして、ＨＯ  Ｐｒｅｐａｒａｔｉｏｎ管理部１８は、次候補セルの情報をコア網サービス制御部１５へ送信する。【００５６】
ハンドオーバ制御部１７及びＨＯ  Ｐｒｅｐａｒａｔｉｏｎ管理部１８が、図２のターゲットセル抽出部１１１及び次候補セル抽出部１２２の機能を有する。【００５７】
無線パラメータ調整部２０は、無線通信における通信性能や通信機能の最適化のため、パワーなどの無線制御パラメータを調整する。【００５８】
次に、図５を参照して、本実施例に係る無線通信システムにおけるＨＯ  Ｐｒｅｐａｒａｔｉｏｎの処理について説明する。図５は、実施例１に係る無線通信システムにおけるＨＯ  Ｐｒｅｐａｒａｔｉｏｎの処理のシーケンス図である。図５のシーケンス図における縦軸は下に向かって時間の経過を表している。さらに、縦軸は上部に記載する装置の各タイミングでの動作を表している。そして、各縦軸間を結ぶ矢印は、縦軸の上部に記載する装置間の情報の流れを表している。【００５９】
無線通信端末３は、通信状態が設定されたＭａｓｕｒｅｍｅｎｔ  Ｒｅｐｏｒｔ発信条件を満たすと、現在の接続先であるｅＮＢ１０１にＭｅａｓｕｒｅｍｅｎｔ  Ｒｅｐｏｒｔを送信する（ステップＳ１０１）。【００６０】
ｅＮＢ１０１のターゲットセル抽出部１１１は、Ｍｅｓｕｒｅｍｅｎｔ  Ｒｅｐｏｒｔを受けて、ハンドオーバが可能か否かを判定する（ステップＳ１０２）。そして、ハンドオーバ可能な場合、ターゲットセル抽出部１１１は、Ｍｅｓｕｒｅｍｅｎｔ  Ｒｅｐｏｒｔの通信品質の情報及びセル情報テーブルを用いてターゲットセルを抽出する（ステップＳ１０３）。【００６１】
ｅＮＢ１０１のターゲットセル通知部１１２は、ターゲットセル抽出部１１１により抽出されたターゲットセルの情報を用いて、認証Ｔｏｋｅｎを作成する（ステップＳ１０４）。そして、ｅＮＢ１０１のターゲットセル通知部１１２は、認証Ｔｏｋｅｎを含むＨＯ  ＲｅｑｕｅｓｔをｅＮＢ１０２に対して送信する（ステップＳ１０５）。【００６２】
ｅＮＢ１０２のハンドオーバ情報取得部１２１は、ｅＮＢ１０１からＨＯ  Ｒｅｑｕｅｓｔを受信する。そして、ｅＮＢ１０２のハンドオーバ情報取得部１２１は、ターゲットセルに対してハンドオーバの準備の設定を行う。そして、ｅＮＢ１０２の次候補セル抽出部１２２は、ハンドオーバ情報取得部１２１から受信したターゲットセルの情報を用いて次候補セルの抽出を行う（ステップＳ１０６）。【００６３】
ｅＮＢ１０２の次候補セル通知部１２３は、次候補セルの情報をｅＮＢ１０１に送信する（ステップＳ１０７）。【００６４】
ｅＮＢ１０１の次候補セル通知部１１３は、セル情報テーブルを用いて受信した次候補セルが隣接セルか否かを確認する（ステップＳ１０８）。そして、次候補セルが隣接セルの場合、ｅＮＢ１０１の次候補セル通知部１１３は、次候補セルに対する認証Ｔｏｋｅｎを作成する（ステップＳ１０９）。そして、ｅＮＢ１０１の次候補セル通知部１１３は、認証Ｔｏｋｅｎを含むＨＯ  ＲｅｑｕｅｓｔをｅＮＢ１０３へ送信する（ステップＳ１１０）。ｅＮＢ１０３のハンドオーバ情報取得部１４１は、次候補セルとして指定されたセルに対して、ハンドオーバの準備の設定を行う。【００６５】
さらに、図６を参照して次候補セルの選択及び次候補セルへのＨＯ  Ｒｅｑｕｅｓｔの送信の処理について説明する。図６は、次候補セルの選択及び次候補セルへのＨＯ  Ｒｅｑｕｅｓｔの送信の処理のフローチャートである。【００６６】
ｅＮＢ１０２のハンドオーバ情報取得部１２１は、ｅＮＢ１０１からＨＯ  Ｒｅｑｕｅｓｔを受信する（ステップＳ２０１）。【００６７】
ｅＮＢ１０２の次候補セル抽出部１２２は、ＨＯ  Ｒｅｑｕｅｓｔからターゲットセルの情報を取得し、そのターゲットセルにおいてＲＬＦ発生率が所定値以上か否かを判定する（ステップＳ２０２）。所定値以上の場合（ステップＳ２０２肯定）、ｅＮＢ１０２の次候補セル抽出部１２２は、ＲＬＦ発生後にターゲットセルの隣接セルの中で、ターゲットセルからの再接続回数が所定数以上発生したセルが存在するか否かを判定する（ステップＳ２０３）。再接続回数が所定回数以上発生している隣接セルがある場合（ステップＳ２０３肯定）、ｅＮＢ１０２の次候補セル抽出部１２２は、ハンドオーバ回数が所定回数以上発生している隣接セルを抽出する。そして、ｅＮＢ１０２の次候補セル抽出部１２２は、抽出したセルの中から、再接続の発生回数の多い順に所定個のセルを次候補セルとして抽出する（ステップＳ２０４）。そして、ｅＮＢ１０２の次候補セル通知部１２３は、次候補セルの情報を含むＨＯ  Ｒｅｑｕｅｓｔ  Ａｃｋｎｏｗｌｅｄｇｅを送信する。【００６８】
また、ターゲットセルにおいてＲＬＦ発生率が所定値よりも少ない場合（ステップＳ２０２否定）、ｅＮＢ１０２の次候補セル通知部１２３は、次候補セルの情報を含まないＨＯ  Ｒｅｑｕｅｓｔ  Ａｃｋｎｏｗｌｅｄｇｅを送信する。また、ターゲットセルからの再接続回数が所定数以上発生した隣接セルがない場合（ステップＳ２０３否定）、ｅＮＢ１０２の次候補セル通知部１２３は、次候補セルの情報を含まないＨＯ  Ｒｅｑｕｅｓｔ  Ａｃｋｎｏｗｌｅｄｇｅを送信する。【００６９】
ｅＮＢ１０１の次候補セル通知部１１３は、ＨＯ  Ｒｅｑｕｅｓｔ  Ａｃｋｎｏｗｌｅｄｇｅを受信する（ステップＳ２０５）。【００７０】
ｅＮＢ１０１の次候補セル通知部１１３は、ＨＯ  Ｒｅｑｕｅｓｔ  Ａｃｋｎｏｅｌｅｄｇｅが次候補セルの情報を含んでいるか否かを判定する（ステップＳ２０６）。含んでいる場合（ステップＳ２０６肯定）、ｅＮＢ１０１の次候補セル通知部１１３は、次候補セルが隣接セルか否かを判定する（ステップＳ２０７）。隣接セルの場合（ステップＳ２０７肯定）、ｅＮＢ１０１の次候補セル通知部１１３は、次候補セルに対する認証Ｔｏｋｅｎを生成する（ステップＳ２０８）。そして、ｅＮＢ１０１の次候補セル通知部１１３は、認証Ｔｏｋｅｎを含む次候補セルに対するＨＯ  ＲｅｑｕｅｓｔをｅＮＢ１０３へ送信する（ステップＳ２０９）。【００７１】
ＨＯ  Ｒｅｑｕｅｓｔ  Ａｃｋｎｏｅｌｅｄｇｅが次候補セルの情報を含まない場合（ステップＳ２０６否定）、ｅＮＢ１０１は次候補セルに対するＨＯ  Ｒｅｑｕｅｓｔの送信を行わずに処理を終了する。また、次候補セルが隣接セルでない場合（ステップＳ２０７否定）、ｅＮＢ１０１は次候補セルに対するＨＯ  Ｒｅｑｕｅｓｔの送信を行わずに処理を終了する。【００７２】
さらに、本実施例におけるＨＯ  Ｒｅｑｕｅｓｔの送信の全体的な動作を把握しやすいように、図７を参照して、本実施例におけるＨＯ  Ｒｅｑｕｅｓｔの送信の処理の概要を説明する。図７は、実施例１におけるＨＯ  Ｒｅｑｕｅｓｔの送信の処理の概要を説明するための図である。以下では、説明を分かりやすくするため、各セルが他のセルと直接に情報の授受を行っているように記載しているが、実際には、各セルを収容するｅＮＢ同士が情報の授受を行っている。【００７３】
セル３０１が無線通信端末３と接続しているセルである。まず、セル３０１が無線通信端末３からＭｅｓｕｒｅｍｅｎｔ  Ｒｅｐｏｒｔを受けて、ターゲットセルとしてセル３０２を特定する。そして、セル３０１は、セル３０２にＨＯ  Ｒｅｑｕｅｓｔ３１０を送信する。【００７４】
すると、セル３０２は、ＨＯ  Ｒｅｑｕｅｓｔ３１０を受信して、自己にハンドオーバの準備の設定を行う。さらに、セル３０２は、自己の隣接セルから次候補セルとしてセル３０３を特定する。そして、セル３０２は、次候補セルである３０３の情報を含むＨＯ  Ｒｅｑｕｅｓｔ  Ａｃｋｎｏｗｌｅｄｇｅ３１１をセル３０１へ送信する。【００７５】
すると、セル３０１は、ＨＯ  Ｒｅｑｕｅｓｔ  Ａｃｋｎｏｗｌｅｄｇｅ３１１を受信して、セル３０３が隣接セルかを判定する。ここでは、セル３０３がセル３０１の隣接セルである場合で説明する。そこで、セル３０１は、セル３０３にＨＯ  Ｒｅｑｕｅｓｔ３１２を送信する。【００７６】
セル３０３は、ＨＯ  Ｒｅｑｕｅｓｔ３１２を受信して、自己にハンドオーバの準備の設定を行う。【００７７】
以上で説明したように、本実施例にかかる無線通信システムは、ハンドオーバの対象として選んだターゲットセル以外に、再接続の発生する確率が高いと考えられるセルを選択して次候補のハンドオーバ準備の対象とすることができる。これにより、実際にハンドオーバを実行する際に、ハンドオーバの対象とするセルにおいてハンドオーバの準備が行われている確率を向上させることができる。したがって、本実施例にかかる無線通信システムは、ハンドオーバ時における処理の負荷を低減させつつ、再接続の成功率を向上させるという効果を奏する。【００７８】
この点、再接続の確率を向上させる従来技術として、ハンドオーバの準備の段階で、ハンドオーバの対象として抽出されたセルだけではなく、そのセルに隣接する全ての隣接セルに対して、ハンドオーバの準備の設定を行う技術がある。しかし、この技術では、ハンドオーバが発生する毎に全ての隣接セルにおいてハンドオーバの準備を行う必要があり、そのためのＨＯ  Ｒｅｑｕｅｓｔの作成及びシグナリング処理などにより大きな負荷が発生する。これに対して、本実施例では、次候補セルを絞り込んでハンドオーバの準備の設定を行うので、全ての隣接セルに対してハンドオーバの準備の設定を行う従来技術に比べて、ハンドオーバ時の負荷を低減することができる。【００７９】
また、ハンドオーバ過程、あるいは、その後に起きた再接続の成功確率を向上させる他の従来技術として、ハンドオーバ先セルの隣接セルを複数選んでターゲットセルとする技術もある。しかし、この技術では、ターゲットセルを収容する無線基地局側の通信状態が把握できない。そのため、ターゲットセルを収容する無線基地局側の通信状態によっては、実際にハンドオーバを行うターゲットセルとして指定したセル以外のセルに再接続が発生してしまうおそれがある。この場合、ハンドオーバが失敗してしまうことになる。これに対して、本実施例では、ターゲットセルを収容する無線基地局がターゲットセルにおける通信状態を基に次候補セルを抽出するため、ターゲットセルを収容する無線基地局側の通信状態を考慮したハンドオーバの準備を行うことができる。したがって、ターゲットセルを複数選択する従来技術に比べて、本実施例に係る無線通信装置は、再接続の成功率を向上することができる。
【実施例２】
【００８０】
図８は、実施例２に係る無線基地局のブロック図である。本実施例にかかる無線通信システムは、ＨＯ  Ｒｅｑｕｅｓｔを生成するｅＮＢが、次候補セルが隣接セルでない場合に、次候補セルを抽出したｅＮＢに対してＨＯ  Ｒｅｑｕｅｓｔの次候補セルを収容するｅＮＢへの転送を要求することが実施例１と異なる。そこで、以下では、ＨＯ  Ｒｅｑｕｅｓｔを生成するｅＮＢにおける次候補セルに対するＨＯ  Ｒｅｑｕｅｓｔの送信について主に説明する。ここで、図８において図２と同様の符号を有する各部は、特に説明の無い限り同様の機能を有するものとする。【００８１】
まず、ｅＮＢ１０１について説明する。図８に示すように、本実施形態に係る無線通信システムは、実施例１の無線通信システムのｅＮＢ１０１にコネクション有無判定部１１５を加えたものである。【００８２】
ターゲットセル通知部１１２は、ターゲットセル用の認証Ｔｏｋｅｎを含むターゲットセルに対するＨＯ  Ｒｅｑｕｅｓｔを基地局判定部１２５に送信する。【００８３】
ここで、図９は、次候補セルを収容する無線基地局への転送要求を行うためのＨＯ  Ｒｅｑｕｅｓｔのフォーマットの一例の図である。【００８４】
フォーマット４００は、従来のＨＯ  Ｒｅｑｕｅｓｔのフォーマットに、転送先の情報を表すＣａｕｓｅ値４０１を追加したものである。ターゲットセル通知部１１２は、ターゲットセルを収容するｅＮＢにＨＯ  Ｒｅｑｕｅｓｔを送信する。すなわち、ＨＯ  Ｒｅｑｕｅｓｔの転送は不要であるので、ターゲットセル通知部１１２は、Ｃａｕｓｅ値４０１を設定せずに、ＨＯ  Ｒｅｑｕｅｓｔを送信する。【００８５】
コネクション有無判定部１１５は、次候補セル抽出部１２２が抽出した次候補セルの情報を次候補セル通知部１２３から受信する。そして、コネクション有無判定部１１５は、セル情報管理部１１４のセル情報テーブルを用いて、次候補セルが隣接セルであるか否か、言い換えれば自装置と制御用のコネクションを有しているか否かを判定する。コネクション有無判定部１１５は、次候補セルが隣接セルか否かの判定結果を次候補セル通知部１１３へ送信する。【００８６】
次候補セル通知部１１３は、コネクション有無判定部１１５からの判定結果を受信する。そして、次候補セル通知部１１３は、次候補セルに対する認証Ｔｏｋｅｎを生成する。【００８７】
次候補セルが隣接セルであれば、次候補セル通知部１１３は、次候補セルを収容する無線基地局に認証Ｔｏｋｅｎを含む次候補セルに対するＨＯ  Ｒｅｑｕｅｓｔを送信する。本実施例では、隣接セルである次候補セルを収容する無線基地局がｅＮＢ１０３であり、この場合、次候補セル通知部１１３は、ＨＯ  ＲｅｑｕｅｓｔをｅＮＢ１０３へ送信する。【００８８】
これに対して、次候補セルが隣接セルでなければ、次候補セル通知部１１３は、次候補セルを収容する無線基地局への転送要求とともに、認証Ｔｏｋｅｎを含む次候補セルに対するＨＯ  ＲｅｑｕｅｓｔをｅＮＢ１０２へ送信する。【００８９】
次候補セル通知部１１３は、転送を要求する場合にはＣａｕｓｅ値４０１として「Ｈａｎｄｏｖｅｒ  Ｐｒｅｐａｒａｔｉｏｎ  Ｏｐｔｉｍｉｚａｔｉｏｎ」と記載する。これに対して、ｅＮＢ１０２に転送を要求しない場合、すなわち、次候補セルがｅＮＢ１０２に収容されている場合、次候補セル通知部１１３は、Ｃａｕｓｅ値４０１を設定しない。そして、次候補セル通知部１１３は、ＨＯ  ＲｅｑｕｅｓｔをｅＮＢ１０２へ送信する。【００９０】
次に、ｅＮＢ１０２について説明する。図８に示すように、本実施形態に係る無線通信システムのｅＮＢ１０２は、実施例１の無線通信システムのｅＮＢ１０２に基地局判定部１２５を加えたものである。【００９１】
基地局判定部１２５は、ターゲットセル通知部１１２又は次候補セル通知部１１３からＨＯ  Ｒｅｑｕｅｓｔを受信する。【００９２】
そして、基地局判定部１２５は、ＨＯ  ＲｅｑｕｅｓｔのＣａｕｓｅ値４０１を確認する。Ｃａｕｓｅ値４０１がブランクの場合、基地局判定部１２５は、ハンドオーバ情報取得部１２１へＨＯ  Ｒｅｑｕｅｓｔを送信する。【００９３】
これに対して、Ｃａｕｓｅ値４０１が「Ｈａｎｄｏｖｅｒ  Ｐｒｅｐａｒａｔｉｏｎ  Ｏｐｔｉｍｉｚａｔｉｏｎ」の場合、基地局判定部１２５は、セル情報テーブルを用いてＨＯ  Ｒｅｑｕｅｓｔで指定された次候補セルを収容する無線基地局を特定する。そして、基地局判定部１２５は、特定した無線基地局にＨＯ  Ｒｅｑｕｅｓｔを送信する。本実施例では、ｅＮＢ１０１の隣接セルでない次候補セルを収容する無線基地局がｅＮＢ１０４である。この場合、基地局判定部１２５は、ｅＮＢ１０４のハンドオーバ情報取得部１４１へＨＯ  Ｒｅｑｕｅｓｔを送信する。【００９４】
ここで、ｅＮＢ１０４もｅＮＢ１０２と同じ機能を有している場合には、基地局判定部１２５は、ｅＮＢ１０４の基地局判定部１２５を介してハンドオーバ情報取得部１４１へＨＯ  Ｒｅｑｕｅｓｔを送信することになる。その場合、基地局判定部１２５は、ＨＯ  ＲｅｑｕｅｓｔのＣａｕｓｅ値４０１をブランクにした後、ＨＯ  Ｒｅｑｕｅｓｔを送信する。この基地局判定部１２５が「ＨＯ情報転送部」の一例にあたる。【００９５】
次に、図１０を参照して、本実施例に係る無線通信システムにおけるＨＯ  Ｐｒｅｐａｒａｔｉｏｎの処理について説明する。図１０は、実施例２に係る無線通信システムにおけるＨＯ  Ｐｒｅｐａｒａｔｉｏｎの処理のシーケンス図である。【００９６】
無線通信端末３は、通信状態が設定されたＭａｓｕｒｅｍｅｎｔ  Ｒｅｐｏｒｔ発信条件を満たすと、現在の接続先であるｅＮＢ１０１にＭｅａｓｕｒｅｍｅｎｔ  Ｒｅｐｏｒｔを送信する（ステップＳ３０１）。【００９７】
ｅＮＢ１０１のターゲットセル抽出部１１１は、Ｍｅｓｕｒｅｍｅｎｔ  Ｒｅｐｏｒｔを受けて、ハンドオーバが可能か否かを判定する（ステップＳ３０２）。そして、ハンドオーバ可能な場合、ターゲットセル抽出部１１１は、Ｍｅｓｕｒｅｍｅｎｔ  Ｒｅｐｏｒｔの通信品質の情報及びセル情報テーブルを用いてターゲットセルを抽出する（ステップＳ３０３）。【００９８】
ｅＮＢ１０１のターゲットセル通知部１１２は、ターゲットセル抽出部１１１により抽出されたターゲットセルの情報を用いて、認証Ｔｏｋｅｎを作成する（ステップＳ３０４）。そして、ｅＮＢ１０１のターゲットセル通知部１１２は、認証Ｔｏｋｅｎを含むＨＯ  ＲｅｑｕｅｓｔをｅＮＢ１０２に対して送信する（ステップＳ３０５）。【００９９】
ｅＮＢ１０２のハンドオーバ情報取得部１２１は、ｅＮＢ１０１からＨＯ  Ｒｅｑｕｅｓｔを受信する。そして、ｅＮＢ１０２のハンドオーバ情報取得部１２１は、ターゲットセルに対してハンドオーバの準備の設定を行う。そして、ｅＮＢ１０２の次候補セル抽出部１２２は、ハンドオーバ情報取得部１２１から受信したターゲットセルの情報を用いて次候補セルの抽出を行う（ステップＳ３０６）。【０１００】
ｅＮＢ１０２の次候補セル通知部１２３は、次候補セルの情報をｅＮＢ１０１に送信する（ステップＳ３０７）。【０１０１】
ｅＮＢ１０１のコネクション有無判定部１１５は、セル情報テーブルを用いて受信した次候補セルとの間に制御用のコネクションが有るか否か、すなわち隣接セルか否かを確認する（ステップＳ３０８）。ここでは、次候補セルとの間にコネクションがない場合について説明する。ｅＮＢ１０１のコネクション有無判定部１１５は、次候補セルが隣接セルでない旨を、ｅＮＢ１０１の次候補セル通知部１１３に通知する。【０１０２】
ｅＮＢ１０１の次候補セル通知部１１３は、次候補セルに対する認証Ｔｏｋｅｎを作成する（ステップＳ３０９）。そして、ｅＮＢ１０１の次候補セル通知部１１３は、認証Ｔｏｋｅｎを含むＨＯ  ＲｅｑｕｅｓｔをｅＮＢ１０２へ送信する（ステップＳ３１０）。【０１０３】
ｅＮＢ１０２の基地局判定部１２５は、ＨＯ  ＲｅｑｕｅｓｔのＣｏｕｓｅ値を確認し、転送の要否を判定する。ここでは、ｅＮＢ１０４への転送が必要な場合について説明する。ｅＮＢ１０２の基地局判定部１２５は、ＨＯ  ＲｅｑｕｅｓｔをｅＮＢ１０４へ送信する（ステップＳ３１１）。ｅＮＢ１０４のハンドオーバ情報取得部１４１は、次候補セルとして指定されたセルに対して、ハンドオーバの準備の設定を行う。【０１０４】
さらに、図１１を参照して次候補セルの選択及び次候補セルへのＨＯ  Ｒｅｑｕｅｓｔの送信の処理について説明する。図１１は、次候補セルの選択及び次候補セルへのＨＯ  Ｒｅｑｕｅｓｔの送信の処理のフローチャートである。本実施例におけるＨＯ  Ｒｅｑｕｅｓｔの送信の処理は次候補セルへのＨＯ  Ｒｅｑｕｅｓｔの送信の処理以前のステップは図６の処理と同様である。そこで、図１１のフローチャートではｅＮＢ１０１がｅＮＢ１０２からＨＯ  Ｒｅｑｕｅｓｔ  Ａｃｋｎｏｗｌｅｄｇｅを受信するステップから開始する。【０１０５】
ｅＮＢ１０１の次候補セル通知部１１３は、ＨＯ  Ｒｅｑｕｅｓｔ  Ａｃｋｎｏｗｌｅｄｇｅを受信する（ステップＳ４０１）。【０１０６】
ｅＮＢ１０１の次候補セル通知部１１３は、ＨＯ  Ｒｅｑｕｅｓｔ  Ａｃｋｎｏｅｌｅｄｇｅが次候補セルの情報を含んでいるか否かを判定する（ステップＳ４０２）。含んでいる場合（ステップＳ４０２肯定）、ｅＮＢ１０１の次候補セル通知部１１３は、次候補セルに対する認証Ｔｏｋｅｎを生成する（ステップＳ４０３）。【０１０７】
次に、ｅＮＢ１０１の次候補セル通知部１１３は、次候補セルが隣接セルか否かを判定する（ステップＳ４０４）。隣接セルの場合（ステップＳ４０４肯定）、ｅＮＢ１０１の次候補セル通知部１１３は、認証Ｔｏｋｅｎを含む次候補セルに対するＨＯ  Ｒｅｑｕｅｓｔを、次候補セルを収容する無線基地局であるｅＮＢ１０３へ送信する（ステップＳ４０５）。【０１０８】
これに対して、次候補セルが隣接セルでない場合（ステップＳ４０４否定）、ｅＮＢ１０１の次候補セル通知部１１３は、認証Ｔｏｋｅｎを含む次候補セルに対するＨＯ  Ｒｅｑｕｅｓｔを、ターゲットセルを収容する無線基地局であるｅＮＢ１０２へ送信する（ステップＳ４０６）。【０１０９】
ｅＮＢ１０２は、ＨＯ  ＲｅｑｕｅｓｔのＣａｕｓｅ値を確認し、次候補セルを収容する無線基地局であるｅＮＢ１０４へＨＯ  Ｒｅｑｕｅｓｔを転送する（ステップＳ４０７）。【０１１０】
ＨＯ  Ｒｅｑｕｅｓｔ  Ａｃｋｎｏｅｌｅｄｇｅが次候補セルの情報を含まない場合（ステップＳ４０２否定）、ｅＮＢ１０１は次候補セルに対するＨＯ  Ｒｅｑｕｅｓｔの送信を行わずに処理を終了する。【０１１１】
さらに、本実施例におけるＨＯ  Ｒｅｑｕｅｓｔの送信の全体的な動作を把握しやすいように、図１２を参照して、本実施例におけるＨＯ  Ｒｅｑｕｅｓｔの送信の処理の概要を説明する。図１２は、実施例２におけるＨＯ  Ｒｅｑｕｅｓｔの送信の処理の概要を説明するための図である。以下では、説明を分かりやすくするため、各セルが他のセルと直接に情報の授受を行っているように記載しているが、実際には、各セルを収容するｅＮＢ同士が情報の授受を行っている。【０１１２】
セル５０１が無線通信端末３と接続しているセルである。また、セル５０１とセル５０２及びセル５０４とは隣接しているが、セル５０１とセル５０３とは隣接していない。そして、セル５０２はｅＮＢ１０２に収容されており、セル５０３はｅＮＢ１０４に収容されている。【０１１３】
まず、セル５０１が無線通信端末３からＭｅｓｕｒｅｍｅｎｔ  Ｒｅｐｏｒｔを受けて、ターゲットセルとしてセル５０２を特定する。そして、セル５０１は、セル５０２にＨＯ  Ｒｅｑｕｅｓｔ５１０を送信する。【０１１４】
すると、セル５０２は、ＨＯ  Ｒｅｑｕｅｓｔ５１０を受信して、自己にハンドオーバの準備の設定を行う。さらに、セル５０２は、自己の隣接セルから次候補セルとしてセル５０３を特定する。そして、セル５０２は、次候補セルであるセル５０３の情報を含むＨＯ  Ｒｅｑｕｅｓｔ  Ａｃｋｎｏｗｌｅｄｇｅ５１１をセル５０１へ送信する。【０１１５】
すると、セル５０１は、ＨＯ  Ｒｅｑｕｅｓｔ  Ａｃｋｎｏｗｌｅｄｇｅ５１１を受信して、セル５０３が隣接セルかを判定する。そして、セル５０４は隣接セルではないので、セル５０１は、セル５０３への転送要求を含むＨＯ  Ｒｅｑｕｅｓｔ５１２をセル５０２へ送信する。【０１１６】
セル５０２は、ＨＯ  Ｒｅｑｕｅｓｔ５１２を受信して、転送先を確認する。そして、セル５０２は、転送要求を削除したＨＯ  Ｒｅｑｕｅｓｔ５１３をセル５０３へ送信する。【０１１７】
セル５０３は、セル５０２からＨＯ  Ｒｅｑｕｅｓｔ５１３を受信して、自己にハンドオーバの準備の設定を行う。【０１１８】
以上で説明したように、本実施例にかかる無線通信システムは、ハンドオーバ元となる無線基地局とコネクションを有さないセルが次候補セルとして選択された場合でも、ターゲットセルを収容する無線基地局を介して、ＨＯ  Ｒｅｑｕｅｓｔを送信できる。これにより、ハンドオーバ元の無線基地局が直接把握しないセルにおいて再接続の可能性がある場合に、そのセルに対しても、ＨＯ  Ｐｒｅｐａｒａｔｉｏｎの処理を起動することができる。したがって、実際にハンドオーバを実行する際に、再接続の対象とするセルにおいてハンドオーバの準備が行われている確率をより向上させることができる。したがって、本実施例にかかる無線通信システムは、ハンドオーバ時における処理の負荷を低減させつつ、再接続の成功率をより向上させることができるという効果を奏する。
【実施例３】
【０１１９】
実施例３に係る無線通信システムは、次候補セルの抽出条件が実施例１及び実施例２と異なるものである。そこで、以下では次候補セルの抽出について主に説明する。本実施例に係る無線通信システムも実施例１又は実施例２と同様の各部を有するものである。以下では、実施例１の次候補セルの抽出条件を変更した場合で説明するが、実施例２において次候補セルの抽出条件を変更した場合も同様である。本実施例に係る無線通信システムは図２のブロック図で表される。ここで、図２における各部は、特に説明の無い限り実施例１と同様の機能を有するものとする。【０１２０】
ハンドオーバ情報取得部１２１は、ＨＯ  ＲｅｑｕｅｓｔをｅＮＢ１０１から受信する。そして、ハンドオーバ情報取得部１２１は、ＨＯ  Ｒｅｑｕｅｓｔで指定されたターゲットセルの情報を次候補セル抽出部１２２へ出力する。【０１２１】
本実施例に係るｅＮＢ１０２の次候補セル抽出部１２２は、次候補セルを抽出するための閾値として、無線パラメータ調整後から経過する時間の上限値である所定時間及び再接続発生回数の上限値である所定値を予め記憶している。また、次候補セル抽出部１２２は、次候補セルとして選択する個数の上限値として所定個を記憶している。【０１２２】
次候補セル抽出部１２２は、ハンドオーバ情報取得部１２１からターゲットセルの情報を受信する。【０１２３】
そして、次候補セル抽出部１２２は、ターゲットセルにおいて無線パラメータが調整中であるか又は無線パラメータ調整後からの経過時間が記憶している所定時間以内であるかのいずれかを満たすか否かを判定する。【０１２４】
ここで、次候補セル抽出部１２２は、どちらの条件も満たさない場合には、次候補セルがない旨を次候補セル通知部１２３へ送信する。【０１２５】
これに対して、いずれかの条件を満たす場合、次候補セル抽出部１２２は、その調整対象のパラメータが、対向隣接セル単位設定か否かを判定する。ここで、対向隣接セル単位設定とは、無線パラメータの調整を行うことで、無線パラメータの調整を行っているセル以外の隣接セルに対しても影響が及ぶパラメータの調整を指す。また、対向隣接セル単位設定以外には自セル単位設定があり、これは無線パラメータの調整を行っているセルにのみ影響が及ぶパラメータの調整を指す。対向隣接セル単位設定でない場合、次候補セルがない旨を次候補セル通知部１２３へ送信する。【０１２６】
これに対して、対向隣接セル単位設定の場合、次候補セル抽出部１２２は、ターゲットセルにおけるＲＬＦの発生により再接続が行われた隣接セルの中で、再接続の発生回数が記憶している所定数以上であるセルが存在するか否かを判定する。【０１２７】
次候補セル抽出部１２２は、再接続の発生回数が所定数以上であるセルが無い場合には、次候補セルがない旨を次候補セル通知部１２３へ通知する。【０１２８】
これに対して、再接続の発生回数が所定数以上であるセルが存在する場合、次候補セル抽出部１２２は、そのセルの中から再接続の発生回数の多い順に所定個のセルを次候補セルとして抽出する。そして、次候補セル抽出部１２２は、抽出した次候補セルの情報を次候補セル通知部１２３へ送信する。【０１２９】
そして、次候補セル通知部１２３は、次候補セル抽出部１２２から受信した次候補セルの情報を含むＨＯ  Ｒｅｑｕｅｓｔ  ＡｃｋｎｏｗｌｅｄｇｅをｅＮＢ１０１へ送信する。【０１３０】
次に、図１３を参照して、ｅＮＢ１０２における次候補セルの抽出処理について説明する。図１３は、実施例３に係る無線通信システムにおける次候補セルの抽出処理のフローチャートである。【０１３１】
まず、ハンドオーバ情報取得部１２１は、ＨＯ  ＲｅｑｕｅｓｔをｅＮＢ１０１から受信する（ステップＳ５０１）。そして、ハンドオーバ情報取得部１２１は、ターゲットセルに対してハンドオーバの準備の設定を行う。【０１３２】
次に、次候補セル抽出部１２２は、ＨＯ  Ｒｅｑｕｅｓｔで指定されたターゲットセルにおいて、無線パラメータが調整中か又は無線パラメータ調整後に経過した時間が所定時間以内かのいずれかを満たしているか否かを判定する（ステップＳ５０２）。いずれかを満たしている場合（ステップＳ５０２肯定）、次候補セル抽出部１２２は、その調整対象のパラメータが、対向隣接セル単位設定か否かを判定する（ステップＳ５０３）。【０１３３】
対向隣接セル単位設定の場合（ステップＳ５０３肯定）、次候補セル抽出部１２２は、ターゲットセルからの再接続の発生回数が所定数以上の隣接セルが存在するか否かを判定する（ステップＳ５０４）。所定数以上の隣接セルが存在する場合（ステップＳ５０４肯定）、次候補セル抽出部１２２は、再接続の発生回数が所定数以上の隣接セルの中から再接続の発生回数が多い順に所定個のセルを次候補セルとして抽出する（ステップＳ５０５）。そして、次候補セル通知部１２３は、次候補セルの情報を含めたＨＯ  Ｒｅｑｕｅｓｔ  ＡｃｋｎｏｗｌｅｄｇｅをｅＮＢ１０１へ送信する（ステップＳ５０６）。【０１３４】
また、ステップＳ５０２における条件をいずれも満たさない場合（ステップＳ５０２否定）、次候補セル通知部１２３は、次候補セルの情報を含めずにＨＯ  Ｒｅｑｕｅｓｔ  ＡｃｋｎｏｗｌｅｄｇｅをｅＮＢ１０１へ送信する（ステップＳ５０６）。また、対向隣接セル単位設定でない場合（ステップＳ５０３否定）、次候補セルの情報を含めずにＨＯ  Ｒｅｑｕｅｓｔ  ＡｃｋｎｏｗｌｅｄｇｅをｅＮＢ１０１へ送信する（ステップＳ５０６）。さらに、再接続の発生回数が所定数以上の隣接セルが無い場合（ステップＳ５０４否定）も、次候補セル通知部１２３は、次候補セルの情報を含めずにＨＯ  Ｒｅｑｕｅｓｔ  ＡｃｋｎｏｗｌｅｄｇｅをｅＮＢ１０１へ送信する（ステップＳ５０６）。【０１３５】
ここで、無線パラメータの調整について説明する。例えば、無線基地局は、隣接セルに対して、性能改善や問題事象解決のために電力制御、ハンドオーバ制御、ランダムアクセス制御及びアンテナ角度調整などの制御パラメータを調整する場合がある。電力制御とは、ｅＮＢ送信や無線通信端末に対する電力制御などである。また、ハンドオーバ制御とは、無線通信端末に対するＭｅａｓｕｒｅｍｅｎｔ条件設定などである。また、ランダムアクセス制御とは、初期アクセス電力、再送回数、再送毎の電力増加量制御などである。【０１３６】
その場合、無線パラメータの調整方法又は調整の精度や正確度によっては、調整の過程やその後の状態において、隣接セルへの接続率が悪くなり、ハンドオーバＰｒｅｐａｒａｔｉｏｎ手順が完了せず失敗することがある。また、ハンドオーバＰｒｅｐａｒａｔｉｏｎ手順がうまくいっても、その後直ぐにＲＬＦが発生する可能性がある。【０１３７】
この点、無線基地局間の情報伝達の手順として、以下のような手順が３ＧＰＰ標準仕様で規定されている。（１）負荷状態を伝達するＲＥＳＯＲＣＥ  ＳＴＡＴＵＳ  ＲＥＱＵＥＳＴ手順。（２）自信の隣接セル識別子などの静的に近いコンフィグレーション情報を伝えるＥＮＢ  ＣＯＮＦＩＧＲＡＴＩＯＮ  ＲＥＱＵＥＳＴ手順。（３）ｅＮＢが無線通信端末にハンドオーバＰｒｅｐａｒａｔｉｏｎを起動させる品質閾値、言い換えればＭｅａｓｕｒｅｍｅｎｔ  Ｒｅｐｏｒｔ値に対する閾値を伝えるＭＯＢＩＬＩＴＹ  ＣＨＡＮＣＥ  ＲＥＱＵＥＳＴ手順。しかし、上述した無線パラメータの情報を伝達する手順は規定されていない。そのため、これらの無線パラメータの情報をハンドオーバ元のセルを収容する無線基地局が把握することは困難である。【０１３８】
ここで、これらの無線パラメータを調整した場合に発生する状況について説明する。ＨＯ制御パラメータには、ＭＯＢＩＬＩＴＹ  ＣＨＡＮＧＥ  ＲＥＱＵＥＳＴ手順により無線基地局間で伝達されるハンドオーバＰｒｅｐａｒａｔｉｏｎ判定及び判定対象となる無線通信端末のＭｅｓｕｒｅｍｅｎｔ  Ｒｅｐｏｒｔを制御するパラメータがある。後者は、無線通信端末がＭｅａｓｕｒｅｍｅｎｔ  Ｒｅｐｏｒｔを発信ためのパラメータである。具体的には、無線通信端末のＭｅｓｕｒｅｍｅｎｔ  Ｒｅｐｏｒｔを制御するパラメータは、無線通信端末が、接続中のセルを含め認識したセルの通信品質を測定し、接続中セル自信の品質値の代償や接続中セルと他のセルの品質値の比較を行うための値である。この比較により、無線通信端末は、Ｍｅａｓｒｕｅｍｅｎｔ  Ｒｅｐｏｒｔ発信を決める。この値は、例えば、大小比較閾値、差分比較閾値、各セルのオフセット値及び接続中セルにたいするヒステリシス考慮値などである。【０１３９】
そして、接続中セルに対するオフセット値やヒステリシス考慮値を小さくすることにより、他セルがハンドオーバの対象の候補として選ばれやすくなり、ハンドオーバの対象が増える。これらの値を小さくしすぎ、且つそれに比べて差分比較閾値が大きいなどといった場合、ＭｅａｓｕｒｅｍｅｎｔＲｅｐｏｒｔが発信できない状態でＲＬＦが発生する状況もおきうる。この場合、ハンドオーバが失敗してしまうおそれがある。【０１４０】
また、ハンドオーバ元のセルと隣接し、互いも隣接関係にある第１セル及び第２セルがある状態で、接続していた無線通信端末にＲＬＦが発生したことなどにより、ハンドオーバ制御パラメータの調整を行う場合がある。この場合、Ｍｅｓｕｒｅｍｅｎｔ  Ｒｅｐｏｒｔを制御する各セルのオフセット値、ハンドオーバＰｒｅｐａｒａｔｉｏｎの起動の判定をハンドオーバの候補先のセル毎に行うための閾値又は特定の隣接セル方向を考慮したアンテナ角度などを調整する場合がある。【０１４１】
これらの調整を行う場合、その調整内容、調整方法又は調整の精度や正確度によっては、調整過程やその後の状態において、ハンドオーバ元のセルから、第１セルや第２セルへのハンドオーバが失敗するおそれがある。また、ハンドオーバが成功したとしても、その直後にＲＬＦが発生するおそれもある。このようなハンドオーバの失敗は調整内容に依存し、ターゲットセルとは別のセルにハンドオーバが発生してしまう可能性がある。【０１４２】
すなわち、セルオフセット値やハンドオーバ起動判定閾値が大きいセルや、アンテナ角度調整でカバレッジ向上が進んでいるセルにハンドオーバが発生する可能性があるといえる。【０１４３】
この点、従来技術では、ハンドオーバ元のセルを収容する無線基地局では、ターゲットセルの制御状況及びターゲットセルとその隣接セルとの間の状況が把握できない。そのため、ハンドオーバ元のセルを収容する無線基地局は、ターゲットセルにおける無線パラメータの制御による不測の事態への対応としての再接続救済用の予備のハンドオーバＰｒｅｐａｒａｔｉｏｎを起動しない。このような状況でＲＬＦが発生しターゲットセル以外のセルへのハンドオーバがあった場合、それが受け付けられず、ハンドオーバが失敗してしまう。【０１４４】
これに対して、本実施例に係る無線通信システムでは、ターゲットセルにおける無線パラメータの調整を監視しており、ターゲットセルの制御状況及びターゲットセルとその隣接セルとの間の状況が把握を把握することができる。そのため、ハンドオーバ元のセルを収容する無線基地局は、ターゲットセルにおける無線パラメータの制御による不測の事態に対応するために、再接続救済用の予備のハンドオーバＰｒｅｐａｒａｔｉｏｎを起動することができる。したがって、ハンドオーバの成功率をより向上させることができる。
【実施例４】
【０１４５】
実施例４に係る無線通信システムは、実施例３における次候補セルの抽出条件を絞ったものである。本実施例に係る無線通信システムも実施例１又は実施例２と同様の各部を有するものである。以下では、実施例１の次候補セルの抽出条件を変更した場合で説明するが、実施例２において次候補セルの抽出条件を変更した場合も同様である。本実施例に係る無線通信システムは図２のブロック図で表される。ここで、図２における各部は、特に説明の無い限り実施例１と同様の機能を有するものとする。【０１４６】
ハンドオーバ情報取得部１２１は、ＨＯ  ＲｅｑｕｅｓｔをｅＮＢ１０１から受信する。そして、ハンドオーバ情報取得部１２１は、ＨＯ  Ｒｅｑｕｅｓｔで指定されたターゲットセルの情報を次候補セル抽出部１２２へ出力する。【０１４７】
本実施例に係るｅＮＢ１０２の次候補セル抽出部１２２は、次候補セルを抽出するための閾値として、無線パラメータ調整後から経過する時間の上限値である所定時間及び再接続発生回数の上限値である所定値を予め記憶している。また、次候補セル抽出部１２２は、次候補セルとして選択する個数の上限値として所定個を記憶している。【０１４８】
次候補セル抽出部１２２は、ハンドオーバ情報取得部１２１からターゲットセルの情報を受信する。【０１４９】
そして、次候補セル抽出部１２２は、ターゲットセルにおいて無線パラメータが調整中であるか又は無線パラメータ調整後からの経過時間が記憶している所定時間以内であるかのいずれかを満たすか否かを判定する。【０１５０】
ここで、次候補セル抽出部１２２は、どちらの条件も満たさない場合には、次候補セルがない旨を次候補セル通知部１２３へ送信する。【０１５１】
これに対して、いずれかの条件を満たす場合、次候補セル抽出部１２２は、その調整対象のパラメータが、対向隣接セル単位設定か否かを判定する。ここで、対向隣接セル単位設定とは、無線パラメータの調整を行うことで、無線パラメータの調整を行っているセル以外の隣接セルに対しても影響が及ぶパラメータの調整を指す。また、対向隣接セル単位設定以外には自セル単位設定があり、これは無線パラメータの調整を行っているセルにのみ影響が及ぶパラメータの調整を指す。対向隣接セル単位設定でない場合、次候補セル抽出部１２２は、次候補セルがない旨を次候補セル通知部１２３へ送信する。【０１５２】
これに対して、対向隣接セル単位設定の場合、次候補セル抽出部１２２は、調整対象のバラメータが電力制御、ハンドオーバ制御、ランダムアクセス制御及びアンテナ角度調整などの制御パラメータといった隣接セルに固有のパラメータであるか否かを判定する。具体的には、電力制御とは、ｅＮＢ送信や無線通信端末に対する電力制御などである。また、ハンドオーバ制御とは、無線通信端末に対するＭｅａｓｕｒｅｍｅｎｔ条件設定などである。また、ランダムアクセス制御とは、初期アクセス電力、再送回数、再送毎の電力増加量制御などである。調整対象のバラメータが隣接セルに固有のパラメータでない場合、次候補セル抽出部１２２は、次候補セルがない旨を次候補セル通知部１２３へ送信する。【０１５３】
これに対して、調整対象のバラメータが隣接セルに固有のパラメータの場合、次候補セル抽出部１２２は、ターゲットセルから再接続が行われた隣接セルの中で、再接続の発生回数が記憶している所定数以上であるセルが存在するか否かを判定する。【０１５４】
次候補セル抽出部１２２は、再接続の発生回数が所定数以上であるセルが無い場合には、次候補セルがない旨を次候補セル通知部１２３へ通知する。【０１５５】
これに対して、再接続の発生回数が所定数以上であるセルが存在する場合、次候補セル抽出部１２２は、そのセルの中から再接続の発生回数の多い順に所定個のセルを次候補セルとして抽出する。そして、次候補セル抽出部１２２は、抽出した次候補セルの情報を次候補セル通知部１２３へ送信する。【０１５６】
そして、次候補セル通知部１２３は、次候補セル抽出部１２２から受信した次候補セルの情報を含むＨＯ  Ｒｅｑｕｅｓｔ  ＡｃｋｎｏｗｌｅｄｇｅをｅＮＢ１０１へ送信する。【０１５７】
次に、図１４を参照して、ｅＮＢ１０２における次候補セルの抽出処理について説明する。図１４は、実施例４に係る無線通信システムにおける次候補セルの抽出処理のフローチャートである。【０１５８】
まず、ハンドオーバ情報取得部１２１は、ＨＯ  ＲｅｑｕｅｓｔをｅＮＢ１０１から受信する（ステップＳ６０１）。そして、ハンドオーバ情報取得部１２１は、ターゲットセルに対してハンドオーバの準備の設定を行う。【０１５９】
次に、次候補セル抽出部１２２は、ＨＯ  Ｒｅｑｕｅｓｔで指定されたターゲットセルにおいて、無線パラメータが調整中か又は無線パラメータ調整後に経過した時間が所定時間以内かのいずれかを満たしているか否かを判定する（ステップＳ６０２）。いずれかを満たしている場合（ステップＳ６０２肯定）、次候補セル抽出部１２２は、その調整対象のパラメータが、対向隣接セル単位設定か否かを判定する（ステップＳ６０３）。【０１６０】
対向隣接セル単位設定の場合（ステップＳ６０３肯定）、次候補セル抽出部１２２は、調整対象のバラメータが隣接セルに固有のパラメータであるか否かを判定する（ステップＳ６０４）。【０１６１】
隣接セルに固有のパラメータである場合（ステップＳ６０４肯定）、次候補セル抽出部１２２は、ターゲットセルからの再接続の発生回数が所定数以上の隣接セルが存在するか否かを判定する（ステップＳ６０５）。所定数以上の隣接セルが存在する場合（ステップＳ６０５肯定）、次候補セル抽出部１２２は、再接続の発生回数が所定数以上の隣接セルの中から再接続の発生回数が多い順に所定個のセルを次候補セルとして抽出する（ステップＳ６０６）。そして、次候補セル通知部１２３は、次候補セルの情報を含めたＨＯ  Ｒｅｑｕｅｓｔ  ＡｃｋｎｏｗｌｅｄｇｅをｅＮＢ１０１へ送信する（ステップＳ６０７）。【０１６２】
また、ステップＳ６０２における条件をいずれも満たさない場合（ステップＳ６０２否定）、次候補セル通知部１２３は、次候補セルの情報を含めずにＨＯ  Ｒｅｑｕｅｓｔ  ＡｃｋｎｏｗｌｅｄｇｅをｅＮＢ１０１へ送信する（ステップＳ６０７）。また、対向隣接セル単位設定でない場合（ステップＳ６０３否定）、次候補セルの情報を含めずにＨＯ  Ｒｅｑｕｅｓｔ  ＡｃｋｎｏｗｌｅｄｇｅをｅＮＢ１０１へ送信する（ステップＳ６０７）。また、隣接セルに固有のパラメータでない場合（ステップＳ６０４否定）、次候補セル通知部１２３は、次候補セルの情報を含めずにＨＯ  Ｒｅｑｕｅｓｔ  ＡｃｋｎｏｗｌｅｄｇｅをｅＮＢ１０１へ送信する（ステップＳ６０７）。さらに、再接続の発生回数が所定数以上の隣接セルが無い場合（ステップＳ６０５否定）も、次候補セル通知部１２３は、次候補セルの情報を含めずにＨＯ  Ｒｅｑｕｅｓｔ  ＡｃｋｎｏｗｌｅｄｇｅをｅＮＢ１０１へ送信する（ステップＳ６０７）。【０１６３】
以上に説明したように、本実施例に係る無線通信システムは、調整している無線パラメータが隣接セルに固有のパラメータである場合にのみ次候補セルを抽出する。これにより、無線パラメータの調整による他のセルへのハンドオーバが発生する可能性が高い場合又はハンドオーバ直後に再度ハンドオーバが発生する可能性が高い場合にのみ、次候補セルの抽出及びの次候補セルに対してハンドオーバの準備の設定が行える。したがって、再接続を救済するための次候補セルへの処理を削減することができ、ハンドオーバ時における処理の負荷を低減させることができる。【０１６４】
以上の各実施例におけるターゲットセルの抽出では、従来の技術を用いることが可能である。例えば、ターゲットセルの抽出において、通信品質が最高のセルのみを抽出するのではなく、最高品質には及ばないが接続可能なセルをターゲットセルとして複数抽出し、Ｍｅａｓｕｒｅｍｅｎｔ  ＲｅｐｏｒｔでｅＮＢ１０１にそれらのセルを通知してもよい。この場合、ｅＮＢ１０１は、通知された複数のターゲットセルに対してＨＯ  Ｒｅｑｕｅｓｔを送信することになる。その場合、ｅＮＢ１０２は、送られた全てのターゲットセル又はその中のいくつかを選択してそれらのセルに対して次候補セルを抽出してもよいし、最高品質のセルに対してのみ次候補セルを抽出してもよい。
【符号の説明】
【０１６５】
２  ＭＭＧ／ＧＷ
３  無線通信端末
１１  無線ネットワークインタフェース
１２  有線ネットワークインタフェース
１３  通信データ処理部
１４  無線アクセスサービス制御部
１５  コア網サービス制御部
１６  セキュリティ管理部
１７  ハンドオーバ制御部
１８  ＨＯ  Ｐｒｅｐａｒａｔｉｏｎ管理部
１９  セル情報管理部
２０  無線パラメータ調整部
１０１、１０２、１０３、１０４  ｅＮＢ
１１１  ターゲットセル抽出部
１１２  ターゲットセル通知部
１１３  次候補セル通知部
１１４  セル情報管理部
１１５  コネクション有無判定部
１２１、１３１、１４１  ハンドオーバ情報取得部
１２２  次候補セル抽出部
１２３  次候補セル通知部
１２４  セル情報管理部
１２５  基地局判定部
【図１】
2012086018.tif 000003
【図２】
2012086018.tif 000004
【図３】
2012086018.tif 000005
【図４】
2012086018.tif 000006
【図５】
2012086018.tif 000007
【図６】
2012086018.tif 000008
【図７】
2012086018.tif 000009
【図８】
2012086018.tif 000010
【図９】
2012086018.tif 000011
【図１０】
2012086018.tif 000012
【図１１】
2012086018.tif 000013
【図１２】
2012086018.tif 000014
【図１３】
2012086018.tif 000015
【図１４】
2012086018.tif 000016
【国際調査報告】
2012086018.tif 000017
2012086018.tif 000018